(57)【要約】【課題】サブビームの調整の精度を向上できる光電変換装置を提供する。【解決手段】本発明に係る光電変換装置１００は、受光したメインビームを電流に変換する複数の受光部１１０ａ〜１１０ｄと、受光した第１サブビームを電流に変換する複数の受光部１１０ｅ〜１１０ｈと、受光した第２サブビームを電流に変換する複数の受光部１１０ｉ〜１１０ｌと、受光部１１０ａ〜１１０ｄにより変換された電流を電圧に変換する電流電圧変換回路１１１ａ〜１１１ｄと、受光部１１０ｅ〜１１０ｈにより変換された電流を、増幅又は減衰する電流増幅回路１１３と、受光部１１０ｅ〜１１０ｈにより変換された電流と、電流増幅回路１１３により増幅又は減衰された電流とのうち一方を出力するスイッチ１１４と、スイッチ１１４により出力された電流と、受光部１１０ｉ〜１１０ｌにより変換された電流との和を電圧に変換する電流電圧変換回路１１１ｅ〜１１１ｈとを備える。【選択図】図２
2010153011.tif 000002
【特許請求の範囲】
【請求項１】
光源から照射されたのち、光ディスク上で反射された第１メインビームと、第１サブビームと、第２サブビームとを受光する光電変換装置であって、
前記反射された第１メインビームを受光し、受光した第１メインビームを電流に変換する複数の第１受光部と、
前記反射された第１サブビームを受光し、受光した第１サブビームを電流に変換する複数の第２受光部と、
前記反射された第２サブビームを受光し、受光した第２サブビームを電流に変換する複数の第３受光部と、
前記複数の第１受光部にそれぞれ対応し、対応する前記第１受光部により変換された電流を電圧に変換し、変換した電圧を外部に出力する複数の第１電流電圧変換回路と、
前記複数の第２受光部にそれぞれ対応し、対応する前記第２受光部により変換された電流を、増幅又は減衰する複数の電流増幅回路と、
前記複数の第２受光部及び前記複数の電流増幅回路にそれぞれ対応し、対応する前記第２受光部により変換された電流と、対応する前記電流増幅回路により増幅又は減衰された電流とのうち一方を出力する複数の切り替え部と、
前記複数の第３受光部及び前記複数の切り替え部とそれぞれ対応し、対応する前記切り替え部により出力される電流と、対応する前記第３受光部により変換された電流との和を電圧に変換し、変換した電圧を外部に出力する複数の第２電流電圧変換回路とを備える
光電変換装置。
【請求項２】
前記複数の電流増幅回路のそれぞれは、
対応する前記第２受光部により変換された電流をｎ（ｎ：０より大きい数）倍するとともに、当該電流の位相を反転させたうえで出力するカレントミラー回路を含み、
前記複数の切り替え部のそれぞれは、対応する前記第２受光部により変換された電流と、対応する前記カレントミラー回路により出力された電流とのうち一方を出力する
請求項１記載の光電変換装置。
【請求項３】
前記複数の電流増幅回路のそれぞれは、さらに、
前記カレントミラー回路の入力側に接続され、対応する前記第２受光部により変換された電流と、同じ方向の電流を供給する第１電流源を備える
請求項２記載の光電変換装置。
【請求項４】
前記複数の電流増幅回路のそれぞれは、さらに、
前記カレントミラー回路の出力側に接続され、前記カレントミラー回路により出力される電流と逆方向であり、かつ、前記第１電流源により供給される電流の前記ｎ倍の電流を供給する第２電流源を備える
請求項３記載の光電変換装置。
【請求項５】
前記光源は、第１波長の前記第１メインビーム、前記第１サブビーム及び前記第２サブビームと、前記第１波長と異なる第２波長の第２メインビーム、第３サブビーム及び第４サブビームとを前記光ディスクに照射し、
前記光電変換装置は、第１動作モードと第２動作モードとを有し、
前記光電変換装置は、さらに、
前記光源から照射されたのち、前記光ディスク上で反射された前記第２メインビームを受光し、受光した第２メインビームを電流に変換する複数の第４受光部と、
前記光源から照射されたのち、前記光ディスク上で反射された前記第３サブビームを受光し、受光した第３サブビームを電流に変換する複数の第５受光部と、
前記光源から照射されたのち、前記光ディスク上で反射された前記第４サブビームを受光し、受光した第４サブビームを電流に変換する複数の第６受光部と、
前記複数の第１受光部及び前記複数の第４受光部にそれぞれ対応し、前記第１動作モード時には、対応する前記第１受光部により変換された電流を出力し、前記第２動作モード時には、対応する前記第４受光部により変換された電流を出力する複数の第１スイッチと、
前記複数の第２受光部及び前記複数の第５受光部にそれぞれ対応し、前記第１動作モード時には、対応する前記第２受光部により変換された電流を出力し、前記第２動作モード時には、対応する前記第５受光部により変換された電流を出力する複数の第２スイッチと、
前記複数の第３受光部及び前記複数の第６受光部にそれぞれ対応し、前記第１動作モード時には、対応する前記第３受光部により変換された電流を出力し、前記第２動作モード時には、対応する前記第６受光部により変換された電流を出力する複数の第３スイッチとを備え、
前記複数の第１電流増幅回路のそれぞれは、対応する前記第１スイッチにより出力された電流を電圧に変換し、変換した電圧を外部に出力し、
前記複数の電流増幅回路のそれぞれは、対応する前記第２スイッチにより出力された電流を、増幅又は減衰し、
前記複数の切り替え部のそれぞれは、対応する前記第２スイッチにより出力された電流と、対応する前記電流増幅回路により増幅又は減衰された電流とのうち一方を出力し、
前記複数の第２電流電圧変換回路のそれぞれは、対応する前記切り替え部により出力される電流と、対応する前記第３スイッチにより出力される電流との和を電圧に変換し、変換した電圧を外部に出力し、
前記第１電流源は、前記第１動作モード時には、第１電流値の電流を供給し、前記第２動作モード時には、前記第１電流値より大きい第２電流値の電流を供給する
請求項３又は４記載の光電変換装置。
【請求項６】
前記電流電圧変換回路は、前記第１動作モード時には、対応する前記切り替え部により出力される電流と、対応する前記第３スイッチにより出力される電流との和を、第１電流電圧変換率で電圧に変換し、前記第２動作モード時には、対応する前記切り替え部により出力される電流と、対応する前記第３スイッチにより出力される電流との和を、前記第１電流電圧変換率より小さい第２電流電圧変換率で電圧に変換する
請求項５記載の光電変換装置。
【請求項７】
前記複数の電流増幅回路のそれぞれは、
対応する前記第２受光部により変換された電流を増幅又は減衰するとともに、当該電流の位相を反転させたうえで出力する第１カレントミラー回路と、
前記第１カレントミラー回路により出力される電流の位相を反転させたうえで出力する第２カレントミラー回路とを含み、
前記複数の切り替え部のそれぞれは、対応する前記第２受光部により変換された電流と、対応する前記第２カレントミラー回路により出力された電流とのうち一方を出力する
請求項１記載の光電変換装置。
【請求項８】
前記複数の電流増幅回路のそれぞれは、
反転入力端子と非反転入力端子と出力端子とを有する差動増幅器と、
前記差動増幅器の反転入力端子と出力端子との間に接続される第１抵抗と、
前記差動増幅器の非反転入力端子と出力端子との間に接続される第２抵抗とを備え、
前記差動増幅器の反転入力端子に、対応する前記第２受光部により変換された電流が入力され、
前記電流増幅回路は、増幅又は減衰した電流を、前記差動増幅器の非反転入力端子に出力する
請求項１記載の光電変換装置。
【請求項９】
前記差動増幅器は、
反転入力端子がゲートに接続される第１ＭＯＳトランジスタと、
非反転入力端子がゲートに接続される第２ＭＯＳトランジスタとを含む
請求項８記載の光電変換装置。
【請求項１０】
光ディスクへのデータの書き込み、及び光ディスクに記録されるデータの読み出しのうち少なくとも一方を行う光ディスク装置であって、
請求項１〜９のいずれか１項に記載の光電変換装置と、
前記ビームを発生する光源と、
前記光源により発生された前記ビームを前記メインビーム、前記第１サブビーム及び前記第２サブビームに分割し、分割した前記メインビーム、前記第１サブビーム及び前記第２サブビームを前記光ディスクに導き、かつ当該光ディスクで反射したメインビーム、第１サブビーム及び第２サブビームを前記光電変換装置に導く光学系とを備える
光ディスク装置。
【請求項１１】
請求項１０記載の光ディスク装置において、前記光ディスクで反射した前記第１サブビーム及び前記第２サブビームが、前記光電変換装置に照射されるスポット位置を調整する調整方法であって、
前記複数の切り替え部のそれぞれに、前記複数の第２受光部により変換された電流を選択させることにより、前記複数の第２電流電圧変換回路に、対応する前記第２受光部により変換された電流と、対応する前記第３受光部により変換された電流との和を第１電圧信号に変換させ、当該第１電圧信号を出力させるステップと、
前記複数の切り替え部に、前記複数の電流増幅回路により増幅又は減衰された電流を選択させることにより、前記複数の第２電流電圧変換回路に、対応する前記第２受光部により変換された電流が増幅又は減衰された電流と、対応する前記第３受光部により変換された電流との和を第２電圧信号に変換させ、当該第２電圧信号を出力させるステップと、
前記複数の第２電流電圧変換回路ごとに、同じ前記第２電流電圧変換回路により出力された前記第１電圧信号と前記第２電圧信号とを減算することにより減算信号を算出するステップと、
前記光ディスクで反射した前記第１サブビームのスポット位置が、前記複数の第２受光部の中心になり、かつ、前記光ディスクで反射した前記第２サブビームのスポット位置が、前記複数の第３受光部の中心になるように、前記複数の減算信号を用いて、前記光学系の配置と前記光電変換装置の位置とのうち少なくとも一方を調整するステップとを含む
光ディスク装置の調整方法。
【発明の詳細な説明】
【技術分野】
【０００１】
本発明は、光電変換装置、光ディスク装置及びその調整方法に関し、特に、光源から照射されたのち、光ディスク上で反射された第１メインビームと、第１サブビームと、第２サブビームとを受光する光電変換装置に関する。
【背景技術】
【０００２】
従来、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、及びＢＤ（Ｂｌｕ−ｒａｙ  Ｄｉｓｋ）などの光ディスクに記録されたデータの読み出し、又は、光ディスクへのデータの書き込みを行う光ディスク装置では、トラッキングエラー信号及びフォーカスエラー信号を生成する光ピックアップが用いられている。この光ピックアップがトラッキングエラー信号及びフォーカスエラー信号を生成する方式として、例えば、メインビームと２つのサブビームとを用いた３ビーム法及び差動非点収差法が用いられている（例えば、特許文献１参照）。
【０００３】
以下、光ディスク装置が備える従来の光電変換装置（光ピックアップ）について説明する。
【０００４】
図１３は、光ディスク５０１の表面に照射されたメインビームのスポット５０２と、第１サブビームのスポット５０３と第２サブビームのスポット５０４とを模式的に示す図である。ここで、メインビーム、第１サブビーム及び第２サブビームは、レーザ等の光源から照射された光ビームが回折格子により分けられたビームである。図１３に示すように、第１サブビームのスポット５０３及び第２サブビームのスポット５０４はそれぞれ、メインビームのスポット５０２に対してラジアル方向にトラックピッチＴｐの半分ずれるように設定される。
【０００５】
図１４は、従来の光電変換装置５００の構成を示す図である。図１４に示す光電変換装置５００は、光ディスク５０１に反射されたビームを受光し、受光したビームを電気信号に変換することにより、受光信号Ａ〜Ｈ、Ｅ＋Ｉ、Ｆ＋Ｊ、Ｇ＋Ｋ、及びＨ＋Ｌを出力する。ここで、受光信号Ａ〜Ｄは、光ディスク５０１に記録されるデータに対応する信号であり、受光信号Ｅ＋Ｉ、Ｆ＋Ｊ、Ｇ＋Ｋ、及びＨ＋Ｌは、トラッキングエラー信号及びフォーカスエラー信号を生成するための信号である。この光電変換装置５００は、第１受光部群１０１〜１０３と、電流電圧変換回路１１１ａ〜１１１ｈと、スイッチ５１２とを備える。
【０００６】
第１受光部群１０１は、図１３に示すスポット５０２に照射され光ディスク５０１で反射されたメインビームを受光する。この第１受光部群１０１は、４個の受光部１１０ａ〜１１０ｄを備える。第２受光部群１０２は、スポット５０３に照射され光ディスク５０１で反射されたサブビームを受光する。この第２受光部群１０２は、４個の受光部１１０ｅ〜１１０ｈを備える。第３受光部群１０３は、スポット５０４に照射され光ディスク５０１で反射されたサブビームを受光する。この第３受光部群１０３は、４個の受光部１１０ｉ〜１１０ｌを備える。また、受光部１１０ａ〜１１０ｌは、それぞれ、受光したビームを電流に光電変換する。
【０００７】
電流電圧変換回路１１１ａ〜１１１ｄは、それぞれ受光部１１０ａ〜１１０ｄにより光電変換された電流を電圧に変換することにより、受光信号Ａ〜Ｄを生成する。
【０００８】
電流電圧変換回路１１１ｅ〜１１１ｈの入力は、それぞれ受光部１１０ｅ〜１１０ｈに接続される。また、電流電圧変換回路１１１ｅ〜１１１ｈの入力は、それぞれスイッチ５１２を介して、受光部１１０ｉ〜１１０ｌに接続される。この電流電圧変換回路１１１ｅ〜１１１ｈは、入力された電流を電圧に変換することにより、受光信号Ｅ〜Ｈ、又は受光信号Ｅ＋Ｉ、Ｆ＋Ｊ、Ｇ＋Ｋ及びＨ＋Ｌを生成する。
【０００９】
ここで、受光信号Ａ〜Ｈは、それぞれ受光部１１０ａ〜１１０ｈに受光されたビームの強度に対応する信号であり、受光信号Ｅ＋Ｉ、Ｆ＋Ｊ、Ｇ＋Ｋ及びＨ＋Ｌは、それぞれ受光部１１０ｅ〜１１０ｈに受光されたビームの強度と、受光部１１０ｉ〜１１０ｌに受光されたビームの強度との和に対応する信号である。
【００１０】
以下、光電変換装置５００の動作を説明する。
【００１１】
まず、光ディスク装置が、光ディスク５０１に記録されるデータの再生、又は光ディスク５０１へのデータの記録を行う場合の光電変換装置５００の動作を説明する。
【００１２】
この時、スイッチ５１２は、ＯＮ状態となる。これにより、第３受光部群１０３に含まれる１１０ｉ〜１１０ｌと、電流電圧変換回路１１１ｅ〜１１１ｈの入力とがそれぞれ導通する。よって、第２受光部群１０２に含まれる受光部１１０ｅ〜１１０ｈにより光電変換された電流と、第３受光部群１０３に含まれる受光部１１０ｉ〜１１０ｌにより光電変換された電流との和が、電流電圧変換回路１１１ｅ〜１１１ｇに入力される。電流電圧変換回路１１１ｅ〜１１１ｇは、入力された電流を電圧に変換することにより、受光信号Ｅ＋Ｉ、Ｆ＋Ｊ、Ｇ＋Ｋ及びＨ＋Ｌを生成し、生成した受光信号Ｅ＋Ｉ、Ｆ＋Ｊ、Ｇ＋Ｋ及びＨ＋Ｌを出力する。
【００１３】
また、第１受光部群１０１に含まれる受光部１１０ａ〜１１０ｄにより光電変換された電流信号は、それぞれ電流電圧変換回路１１１ａ〜１１１ｅに入力される。電流電圧変換回路１１１ａ〜１１１ｅは、入力された電流を電圧に変換することにより、受光信号Ａ、Ｂ、Ｃ及びＤを生成し、生成した受光信号Ａ、Ｂ、Ｃ及びＤを出力する。
【００１４】
これらの受光信号Ａ〜Ｄ、Ｅ＋Ｉ、Ｆ＋Ｊ、Ｇ＋Ｋ、及びＨ＋Ｌは、光ディスク装置が備える、光電変換装置５００の後段に配置される、図示しないＲＦ信号処理回路に入力される。このＲＦ信号処理回路は、受光信号Ａ〜Ｄ、Ｅ＋Ｉ、Ｆ＋Ｊ、Ｇ＋Ｋ、及びＨ＋Ｌを用いて、例えば、差動非点収差法によりフォーカスエラー信号ＦＥを算出し、差動プシュプル法によりトラッキングエラー信号ＴＥを算出する。例えば、ＲＦ信号処理回路は、フォーカスエラー信号ＦＥ及びトラッキングエラー信号ＴＥを下記式（１）及び式（２）を用いて算出する。なお、下記式（１）及び式（２）に示すｋ１及びｋ２は所定の係数である。
【００１５】
ＦＥ＝（Ａ＋Ｃ）−（Ｂ＋Ｄ）
＋ｋ１[（Ｅ＋Ｉ＋Ｇ＋Ｋ）−（Ｆ＋Ｊ＋Ｈ＋Ｌ）]・・・式（１）
ＴＥ＝（Ａ＋Ｂ）−（Ｃ＋Ｄ）
＋ｋ２[（Ｅ＋Ｉ＋Ｆ＋Ｊ）−（Ｇ＋Ｋ＋Ｈ＋Ｌ）]・・・式（２）
【００１６】
次に、光ディスク装置を構成する光学系の配置及び光電変換装置の位置を調整する際の光電変換装置５００の動作を説明する。
【００１７】
この時、スイッチ５１２は、ＯＦＦ状態となる。これにより、第３受光部群１０３に含まれる１１０ｉ〜１１０ｌと、電流電圧変換回路１１１ｅ〜１１１ｈの入力とがそれぞれ絶縁される。よって、第３受光部群１０３に含まれる受光部１１０ｉ〜１１０ｌにより光電変換された電流は、電流電圧変換回路１１１ｅ〜１１１ｇに入力されないので、第２受光部群１０２に含まれる受光部１１０ｅ〜１１０ｈにより光電変換された電流のみが、電流電圧変換回路１１１ｅ〜１１１ｇに入力される。電流電圧変換回路１１１ｅ〜１１１ｇは、入力された、第２受光部群１０２により変換された電流を電圧に変換することにより、受光信号Ｅ〜Ｈを生成し、生成した受光信号Ｅ〜Ｈを出力する。
【００１８】
また、第１受光部群１０１に含まれる受光部１１０ａ〜１１０ｄにより光電変換された電流信号は、それぞれ電流電圧変換回路１１１ａ〜１１１ｅに入力される。電流電圧変換回路１１１ａ〜１１１ｅは、入力された電流を電圧に変換することにより、受光信号Ａ〜Ｄを生成し、生成した受光信号Ａ〜Ｄを出力する。
【００１９】
この時、受光信号Ａ＝Ｂ＝Ｃ＝Ｄ、かつ受光信号Ｅ＝Ｆ＝Ｇ＝Ｈとなるように光学系の配置及び光電変換装置５００の位置を調整することにより、メインビーム、第１サブビーム及び第２サブビームが光電変換装置５００に照射されるスポット位置の中心を、それぞれ第１受光部群１０１〜１０３の中心と一致させることができる。
【特許文献１】特開２００７−８７４５９号公報
【発明の開示】
【発明が解決しようとする課題】
【００２０】
しかしながら、光ディスク装置を構成する光学系の配置及び光電変換装置５００の位置を調整する際に、従来の光電変換装置５００では、以下の課題がある。
【００２１】
第１サブビーム及び第２サブビームは、メインビームに比べ、光強度が小さい。これにより、一般的に、電流電圧変換回路１１１ｅ〜１１１ｈのゲインは、電流電圧変換回路１１１ａ〜１１１ｄのゲインに比べ、大きく設定される。よって、電流電圧変換回路１１１ｅ〜１１１ｈで発生するオフセット電圧は、電流電圧変換回路１１１ａ〜１１１ｄで発生するオフセット電圧に比べ大きくなる。すなわち、受光信号Ｅ〜Ｈは、受光信号Ａ〜Ｄに比べ、大きなオフセット電圧を含んでいる。
【００２２】
このように、受光信号Ｅ〜Ｈは大きなオフセット電圧を含んでいるために、上述のように受光信号Ａ＝Ｂ＝Ｃ＝Ｄ、かつ、受光信号Ｅ＝Ｆ＝Ｇ＝Ｈとなるように、光学系の配置及び光電変換装置５００の位置を調整した場合、サブビームの中心位置合せは、メインビームに比べ精度が悪くなる。これにより、メインビームのスポット５０２の中心を通り、かつ受光面に垂直な軸線のまわりの角変位調整の精度が低くなるという問題が生じる。
【００２３】
以上のように、従来の光電変換装置５００は、サブビームの調整の精度が低いという課題を有する。
【００２４】
そこで本発明は、サブビームの調整の精度を向上できる光電変換装置、光ディスク装置及びその調整方法を提供することを目的とする。
【課題を解決するための手段】
【００２５】
上記目的を達成するために、本発明に係る光電変換装置は、光源から照射されたのち、光ディスク上で反射された第１メインビームと、第１サブビームと、第２サブビームとを受光する光電変換装置であって、前記反射された第１メインビームを受光し、受光した第１メインビームを電流に変換する複数の第１受光部と、前記反射された第１サブビームを受光し、受光した第１サブビームを電流に変換する複数の第２受光部と、前記反射された第２サブビームを受光し、受光した第２サブビームを電流に変換する複数の第３受光部と、前記複数の第１受光部にそれぞれ対応し、対応する前記第１受光部により変換された電流を電圧に変換し、変換した電圧を外部に出力する複数の第１電流電圧変換回路と、前記複数の第２受光部にそれぞれ対応し、対応する前記第２受光部により変換された電流を、増幅又は減衰する複数の電流増幅回路と、前記複数の第２受光部及び前記複数の電流増幅回路にそれぞれ対応し、対応する前記第２受光部により変換された電流と、対応する前記電流増幅回路により増幅又は減衰された電流とのうち一方を出力する複数の切り替え部と、前記複数の第３受光部及び前記複数の切り替え部とそれぞれ対応し、対応する前記切り替え部により出力される電流と、対応する前記第３受光部により変換された電流との和を電圧に変換し、変換した電圧を外部に出力する複数の第２電流電圧変換回路とを備える。
【００２６】
この構成によれば、本発明に係る光電変換装置は、第２受光部と第３受光部とに入射したサブビームの強度の和に対応する信号と、第２受光部に入射した第１サブビームを増幅又は減衰した強度と第３受光部に入射した第２サブビームの強度との和に対応する信号とを出力する。これにより、本発明に係る光電変換装置により出力される２つの信号を減算することにより、第２電流電圧変換回路で発生するオフセット電圧をキャンセルできる。よって、本発明に係る光電変換装置は、サブビームの調整の精度を向上できる。
【００２７】
また、前記複数の電流増幅回路のそれぞれは、対応する前記第２受光部により変換された電流をｎ（ｎ：０より大きい数）倍するとともに、当該電流の位相を反転させたうえで出力するカレントミラー回路を含み、前記複数の切り替え部のそれぞれは、対応する前記第２受光部により変換された電流と、対応する前記カレントミラー回路により出力された電流とのうち一方を出力してもよい。
【００２８】
また、前記複数の電流増幅回路のそれぞれは、さらに、前記カレントミラー回路の入力側に接続され、対応する前記第２受光部により変換された電流と、同じ方向の電流を供給する第１電流源を備えてもよい。
【００２９】
この構成によれば、電流増幅回路の応答速度を高速化できる。
【００３０】
また、前記複数の電流増幅回路のそれぞれは、さらに、前記カレントミラー回路の出力側に接続され、前記カレントミラー回路により出力される電流と逆方向であり、かつ、前記第１電流源により供給される電流の前記ｎ倍の電流を供給する第２電流源を備えてもよい。
【００３１】
この構成によれば、第１電流源により供給された電流を、第２電流源によりキャンセルできる。これにより、第１電流源により電流が供給されることにより生じる、第２電流電圧変換回路で発生するオフセット電圧の増加を抑制できる。
【００３２】
また、前記光源は、第１波長の前記第１メインビーム、前記第１サブビーム及び前記第２サブビームと、前記第１波長と異なる第２波長の第２メインビーム、第３サブビーム及び第４サブビームとを前記光ディスクに照射し、前記光電変換装置は、第１動作モードと第２動作モードとを有し、前記光電変換装置は、さらに、前記光源から照射されたのち、前記光ディスク上で反射された前記第２メインビームを受光し、受光した第２メインビームを電流に変換する複数の第４受光部と、前記光源から照射されたのち、前記光ディスク上で反射された前記第３サブビームを受光し、受光した第３サブビームを電流に変換する複数の第５受光部と、前記光源から照射されたのち、前記光ディスク上で反射された前記第４サブビームを受光し、受光した第４サブビームを電流に変換する複数の第６受光部と、前記複数の第１受光部及び前記複数の第４受光部にそれぞれ対応し、前記第１動作モード時には、対応する前記第１受光部により変換された電流を出力し、前記第２動作モード時には、対応する前記第４受光部により変換された電流を出力する複数の第１スイッチと、前記複数の第２受光部及び前記複数の第５受光部にそれぞれ対応し、前記第１動作モード時には、対応する前記第２受光部により変換された電流を出力し、前記第２動作モード時には、対応する前記第５受光部により変換された電流を出力する複数の第２スイッチと、前記複数の第３受光部及び前記複数の第６受光部にそれぞれ対応し、前記第１動作モード時には、対応する前記第３受光部により変換された電流を出力し、前記第２動作モード時には、対応する前記第６受光部により変換された電流を出力する複数の第３スイッチとを備え、前記複数の第１電流増幅回路のそれぞれは、対応する前記第１スイッチにより出力された電流を電圧に変換し、変換した電圧を外部に出力し、前記複数の電流増幅回路のそれぞれは、対応する前記第２スイッチにより出力された電流を、増幅又は減衰し、前記複数の切り替え部のそれぞれは、対応する前記第２スイッチにより出力された電流と、対応する前記電流増幅回路により増幅又は減衰された電流とのうち一方を出力し、前記複数の第２電流電圧変換回路のそれぞれは、対応する前記切り替え部により出力される電流と、対応する前記第３スイッチにより出力される電流との和を電圧に変換し、変換した電圧を外部に出力し、前記第１電流源は、前記第１動作モード時には、第１電流値の電流を供給し、前記第２動作モード時には、前記第１電流値より大きい第２電流値の電流を供給してもよい。
【００３３】
この構成によれば、第１動作モードと第２動作モードとで、第１電流源は、異なる電流値の電流を供給する。ここで、第１電流源により供給される電流の電流値が大きい場合、電流増幅回路の応答速度をより高速化できるものの、オフセット電圧及びノイズ等が増加するというデメリットがある。よって、本発明に係る光電変換装置は、高速化が要求されないモードでは、第１電流源の電流値を下げることにより、オフセット電圧及びノイズ等の影響を低減できる。
【００３４】
また、前記電流電圧変換回路は、前記第１動作モード時には、対応する前記切り替え部により出力される電流と、対応する前記第３スイッチにより出力される電流との和を、第１電流電圧変換率で電圧に変換し、前記第２動作モード時には、対応する前記切り替え部により出力される電流と、対応する前記第３スイッチにより出力される電流との和を、前記第１電流電圧変換率より小さい第２電流電圧変換率で電圧に変換してもよい。
【００３５】
この構成によれば、第１動作モードと第２動作モードとで第２電流電圧変換回路の電流電圧変換率を調整できる。また、第１電流源により大きい電流値の電流が供給される第２動作モードにおいて、第２電流電圧変換回路は、小さい電流電圧変換率を用いる。これにより、第２電流電圧変換回路の電流電圧変換率を切り替えることによるオフセット電圧の変動を抑制できる。
【００３６】
また、前記複数の電流増幅回路のそれぞれは、対応する前記第２受光部により変換された電流を増幅又は減衰するとともに、当該電流の位相を反転させたうえで出力する第１カレントミラー回路と、前記第１カレントミラー回路により出力される電流の位相を反転させたうえで出力する第２カレントミラー回路とを含み、前記複数の切り替え部のそれぞれは、対応する前記第２受光部により変換された電流と、対応する前記第２カレントミラー回路により出力された電流とのうち一方を出力してもよい。
【００３７】
また、前記複数の電流増幅回路のそれぞれは、反転入力端子と非反転入力端子と出力端子とを有する差動増幅器と、前記差動増幅器の反転入力端子と出力端子との間に接続される第１抵抗と、前記差動増幅器の非反転入力端子と出力端子との間に接続される第２抵抗とを備え、前記差動増幅器の反転入力端子に、対応する前記第２受光部により変換された電流が入力され、前記電流増幅回路は、増幅又は減衰した電流を、前記差動増幅器の非反転入力端子に出力してもよい。
【００３８】
この構成によれば、電流増幅回路の増幅率を容易に１以上にできる。
【００３９】
また、前記差動増幅器は、反転入力端子がゲートに接続される第１ＭＯＳトランジスタと、非反転入力端子がゲートに接続される第２ＭＯＳトランジスタとを含んでもよい。
【００４０】
この構成によれば、差動増幅器の反転入力端子及び非反転入力端子に流れ込む電流量を低減できる。これにより、第２電流電圧変換回路のオフセット電圧を低減できる。
【００４１】
また、本発明に係る光ディスク装置は、光ディスクへのデータの書き込み、及び光ディスクに記録されるデータの読み出しのうち少なくとも一方を行う光ディスク装置であって、前記光電変換装置と、前記ビームを発生する光源と、前記光源により発生された前記ビームを前記メインビーム、前記第１サブビーム及び前記第２サブビームに分割し、分割した前記メインビーム、前記第１サブビーム及び前記第２サブビームを前記光ディスクに導き、かつ当該光ディスクで反射したメインビーム、第１サブビーム及び第２サブビームを前記光電変換装置に導く光学系とを備える。
【００４２】
この構成によれば、本発明に係る光電変換装置は、第２受光部と第３受光部とに入射したサブビームの強度の和に対応する信号と、第２受光部に入射した第１サブビームを増幅又は減衰した強度と第３受光部に入射した第２サブビームの強度との和に対応する信号とを出力する。これにより、本発明に係る光電変換装置により出力される２つの信号を減算することにより、第２電流電圧変換回路で発生するオフセット電圧をキャンセルできる。よって、本発明に係る光ディスク装置は、サブビームの調整の精度を向上できる。
【００４３】
また、本発明に係る光ディスク装置の調整方法は、前記光ディスク装置において、前記光ディスクで反射した前記第１サブビーム及び前記第２サブビームが、前記光電変換装置に照射されるスポット位置を調整する調整方法であって、前記複数の切り替え部のそれぞれに、前記複数の第２受光部により変換された電流を選択させることにより、前記複数の第２電流電圧変換回路に、対応する前記第２受光部により変換された電流と、対応する前記第３受光部により変換された電流との和を第１電圧信号に変換させ、当該第１電圧信号を出力させるステップと、前記複数の切り替え部に、前記複数の電流増幅回路により増幅又は減衰された電流を選択させることにより、前記複数の第２電流電圧変換回路に、対応する前記第２受光部により変換された電流が増幅又は減衰された電流と、対応する前記第３受光部により変換された電流との和を第２電圧信号に変換させ、当該第２電圧信号を出力させるステップと、前記複数の第２電流電圧変換回路ごとに、同じ前記第２電流電圧変換回路により出力された前記第１電圧信号と前記第２電圧信号とを減算することにより減算信号を算出するステップと、前記光ディスクで反射した前記第１サブビームのスポット位置が、前記複数の第２受光部の中心になり、かつ、前記光ディスクで反射した前記第２サブビームのスポット位置が、前記複数の第３受光部の中心になるように、前記複数の減算信号を用いて、前記光学系の配置と前記光電変換装置の位置とのうち少なくとも一方を調整するステップとを含む。
【００４４】
これによれば、本発明に係る光ディスク装置の調整方法は、光電変換装置に第２受光部と第３受光部とに入射したサブビームの強度の和に対応する信号と、第２受光部に入射した第１サブビームを増幅又は減衰した強度と第３受光部に入射した第２サブビームの強度との和に対応する信号とを出力させる。さらに、本発明に係る光ディスク装置の調整方法は、光電変換装置により出力された２つの信号を減算することにより、第２電流電圧変換回路で発生するオフセット電圧をキャンセルできる。よって、本発明に係る光ディスク装置は、サブビームの調整の精度を向上できる。
【発明の効果】
【００４５】
以上より、本発明は、サブビームの調整の精度を向上できる光電変換装置、光ディスク装置及びその調整方法を提供できる。
【発明を実施するための最良の形態】
【００４６】
以下、本発明に係る光電変換装置の実施の形態について、図面を参照しながら詳細に説明する。
【００４７】
（実施の形態１）
本発明の実施の形態１に係る光電変換装置は、第１サブビームと第２サブビームの強度の和に対応する信号と、第１サブビームをｎ倍した強度と第２サブビームの強度との和に対応する信号とを出力する。よって、この２つの信号を減算することにより、電流電圧変換回路で発生するオフセット電圧をキャンセルできるので、サブビームの調整の精度を向上できる。
【００４８】
まず、本発明の実施の形態１に係る光電変換装置１００を備える光ディスク装置１０の構成を説明する。
【００４９】
図１は、光ディスク装置１０の構成を示す図である。
【００５０】
図１に示す光ディスク装置１０は、光ディスク５０に記録されたデータの読み出し、及び、光ディスク５０へのデータの書き込みを行う。光ディスク５０は、例えば、ＣＤ、ＤＶＤ、又はＢＤである。
【００５１】
図１に示す光ディスク装置１０は、レーザ（ＬＤ）１１と、レーザパワーコントローラ１２と、スピンドルモータ１３と、ドライバ１４と、光学系１５と、光ディスクコントローラ２２と、光電変換装置１００とを備える。
【００５２】
光ディスクコントローラ２２は、レーザ１１及びスピンドルモータ１３の制御を行う。すなわち、光ディスクコントローラ２２は、フォーカシング及びトラッキング制御を行う。この光ディスクコントローラ２２は、ＲＦ信号処理回路２３を備える。
【００５３】
レーザ１１は、光ディスク５０に照射するビームを発生する光源である。レーザパワーコントローラ１２は、光ディスクコントローラの制御に基づき、レーザ１１の発生するビームの強度を制御する。
【００５４】
スピンドルモータ１３は、ドライバ１４を介した、光ディスクコントローラ２２の制御に基づき、角変位する。
【００５５】
光学系１５は、レーザ１１により発生されたビームを、メインビーム、第１サブビーム及び第２サブビームに分割するとともに、分割したメインビーム、第１サブビーム及び第２サブビームを光ディスク５０へ導く。また、光学系１５は、レーザ１１により発生され、光ディスク５０により反射されたメインビーム、第１サブビーム及び第２サブビームを光電変換装置１００に導く。この光学系１５は、回折格子１６と、ビームスプリッタ（ＢＳ）１７と、コリメータレンズ（ＣＬ）１８と、立上げミラー１９と、対物レンズ２０と、検出レンズ２１とを備える。
【００５６】
回折格子１６は、レーザ１１により発生されたビームを、メインビームと、第１サブビームと、第２サブビームとに分ける。
【００５７】
回折格子１６により分けられたメインビーム、第１サブビーム、及び第２サブビームは、ビームスプリッタ１７、コリメータレンズ１８を通ったのち、立上げミラー１９で立ち上げられ、次に、対物レンズ２０で集光されることにより、光ディスク５０に照射される。
【００５８】
光ディスクに照射されたメインビーム、第１サブビーム、及び第２サブビームは、光ディスク５０で反射された後、対物レンズ２０、立上げミラー１９、コリメータレンズ１８、ビームスプリッタ１７、検出レンズ２１を順次経由して光電変換装置１００に照射される。
【００５９】
光電変換装置１００は、所謂光ピックアップ用のＬＳＩであるＰＤＩＣ（Ｐｈｏｔｏ  Ｄｅｔｅｃｔｏｒ  ＩＣ）である。光電変換装置１００は、レーザ１１から照射されたのち、光ディスク５０上で反射されたメインビームと、第１サブビームと、第２サブビームとを受光する。また、光電変換装置１００は、受光したメインビームと、第１サブビームと、第２サブビームとをそれぞれ光電変換することにより、電気信号である受光信号を生成し、生成した受光信号をＲＦ信号処理回路２３に出力する。
【００６０】
また、光電変換装置１００は、第１モードと第２モードとを有し、第１モードと第２モードとでそれぞれ異なる受光信号を出力する。
【００６１】
具体的には、光ディスク装置１０が、光ディスク５０に記録されるデータの再生、又は光ディスク５０へのデータの記録を行う際（以下、通常動作時）には、光電変換装置１００は第１モードで動作する。また、光電変換装置１００に照射されるメインビーム、第１サブビーム及び第２サブビームのスポット位置を調整する際（以下、調整時）には、光電変換装置１００は、第１モードで動作した後、第２モードで動作する。なお、当該調整は、例えば、光ディスク装置１０の製造時（組み立て時）又は出荷時等に行われる。また、光ディスク装置１０に含まれる光学系１５の配置及び光電変換装置１００の位置を調整することにより、光電変換装置１００に照射されるメインビーム、第１サブビーム及び第２サブビームのスポット位置が調整される。
【００６２】
具体的には、光電変換装置１００は、第１モード時には、光ディスク５０に記録されているデータに対応する信号と、トラッキング制御及びフォーカス制御を行うための信号を出力する。また、第２モード時には、光ディスク５０に記録されているデータに対応する信号と、光学系１５の配置及び光電変換装置１００の位置を調整するための信号とを出力する。また、第１モード時及び第２モード時に出力される光ディスク５０に記録されているデータに対応する信号は、メインビームの調整にも用いられる。また、第１モード時に出力される、トラッキング制御及びフォーカス制御を行うための信号は、第１サブビーム及び第２サブビームの調整にも用いられる。
【００６３】
また、この第１モードと第２モードとの切り替えは、光ディスクコントローラ２２により行われる。また、光ディスクコントローラ２２は、光ディスク装置１０の外部からの制御に基づき、第１モードと第２モードとの切り替えを行う。
【００６４】
ＲＦ信号処理回路２３は、光電変換装置１００により生成された受光信号を整波した後、信号処理する。具体的には、ＲＦ信号処理回路２３は、例えば、差動非点収差法によりフォーカスエラー信号ＦＥを算出し、差動プシュプル法によりトラッキングエラー信号ＴＥを算出する。
【００６５】
光ディスクコントローラ２２は、このフォーカスエラー信号ＦＥ及びトラッキングエラー信号を用いて、フォーカス制御及びトラッキング制御を行う。また、光ディスクコントローラ２２は、ＲＦ信号処理回路２３により信号処理された、光ディスク５０に記録されるデータに対応する信号と、光学系１５の配置及び光電変換装置１００の位置を調整するための信号とを外部に出力する。
【００６６】
以下、光電変換装置１００の構成を説明する。
【００６７】
図２は、光電変換装置１００の構成を示す図である。この光電変換装置１００は、第１受光部群１０１〜１０３と、電流電圧変換回路１１１ａ〜１１１ｈと、切り替え回路群１１２とを備える。
【００６８】
第１受光部群１０１は、図１３に示すスポット５０２に照射され光ディスク５０で反射されたメインビームを受光する。この第１受光部群１０１は、隣接して配置される４個の受光部１１０ａ〜１１０ｄを備える。
【００６９】
第２受光部群１０２は、スポット５０３に照射され光ディスク５０で反射された第１サブビームを受光する。この第２受光部群１０２は、隣接して配置される４個の受光部１１０ｅ〜１１０ｈを備える。
【００７０】
第３受光部群１０３は、スポット５０４に照射され光ディスク５０で反射された第２サブビームを受光する。この第３受光部群１０３は、隣接して配置される４個の受光部１１０ｉ〜１１０ｌを備える。
【００７１】
受光部１１０ａ〜１１０ｌは、それぞれ、受光したビームを、当該ビームの強度（光量）に応じた光電流に光電変換する。
【００７２】
電流電圧変換回路１１１ａ〜１１１ｄの入力は、対応する受光部１１０ａ〜１１０ｄにそれぞれ接続される。この電流電圧変換回路１１１ａ〜１１１ｄは、対応する受光部１１０ａ〜１１０ｄにより光電変換された電流を電圧に変換することにより受光信号Ａ〜Ｄを生成し、生成した受光信号Ａ〜ＤをＲＦ信号処理回路２３に出力する。ここで、受光信号Ａ〜Ｄは、それぞれ受光部１１０ａ〜１１０ｄに受光されたメインビームの強度に対応する信号である。
【００７３】
切り替え回路群１１２は、受光部１１０ｅ〜１１０ｈにそれぞれ対応する４個の切り替え回路１１２ｅ〜１１２ｈを備える。また、切り替え回路１１２ｅ〜１１２ｈは、それぞれ電流増幅回路１１３と、スイッチ１１４とを備える。
【００７４】
電流増幅回路１１３は、対応する受光部１１０ｅ〜１１０ｈにより光電変換された電流をｎ倍する。なお、ｎは、典型的には、０より大きい１未満の数字である。つまり、電流増幅回路１１３は、対応する受光部１１０ｅ〜１１０ｈにより光電変換された電流を減衰する。なお、ｎは１以上であってもよい。つまり、電流増幅回路１１３は、対応する受光部１１０ｅ〜１１０ｈにより光電変換された電流を増幅してもよい。
【００７５】
スイッチ１１４は、電流増幅回路１１３によりｎ倍された電流と、対応する受光部１１０ｅ〜１１０ｈにより光電変換された電流そのままとのうちいずれか一方を選択し、選択した電流を、対応する電流電圧変換回路１１１ｅ〜１１１ｈに出力する。具体的には、スイッチ１１４は、１倍モード（第１モード）時には、対応する受光部１１０ｅ〜１１０ｈにより光電変換された電流そのままを選択し、ｎ倍モード（第２モード）時には、電流増幅回路１１３によりｎ倍された電流を選択する。
【００７６】
電流電圧変換回路１１１ｅ〜１１１ｈの入力は、対応する受光部１１０ｉ〜１１０ｌに接続される。さらに、電流電圧変換回路１１１ｅ〜１１１ｈの入力は、切り替え回路群１１２を介して、対応する受光部１１０ｉ〜１１０ｌに接続される。この電流電圧変換回路１１１ｅ〜１１１ｈは、対応する切り替え回路１１２ｅ〜１１２ｈにより出力される電流と、対応する受光部１１０ｉ〜１１０ｌにより変換された電流との和を電圧に変換し、変換した電圧である受光信号をＲＦ信号処理回路２３に出力する。
【００７７】
具体的には、電流電圧変換回路１１１ｅ〜１１１ｈは、１倍モード時には、受光信号Ｅ＋Ｉ、Ｆ＋Ｊ、Ｇ＋Ｋ及びＨ＋Ｌを出力し、ｎ倍モード時には、受光信号ｎＥ＋Ｉ、ｎＦ＋Ｊ、ｎＧ＋Ｋ及びｎＨ＋Ｌを出力する。ここで、受光信号Ｅ＋Ｉ、Ｆ＋Ｊ、Ｇ＋Ｋ及びＨ＋Ｌは、それぞれ受光部１１０ｅ〜１１０ｈに受光された第１サブビームの強度と、受光部１１０ｉ〜１１０ｌに受光された第２サブビームの強度との和に対応する信号である。また、受光信号ｎＥ＋Ｉ、ｎＦ＋Ｊ、ｎＧ＋Ｋ及びｎＨ＋Ｌは、それぞれ受光部１１０ｅ〜１１０ｈに受光された第１サブビームの強度をｎ倍した値と、受光部１１０ｉ〜１１０ｌに受光された第２サブビームの強度との和に対応する信号である。
【００７８】
次に、光電変換装置１００の動作を説明する。
【００７９】
まず、１倍モード時の光電変換装置１００の動作を説明する。
【００８０】
１倍モード時には、スイッチ１１４は、対応する受光部１１０ｅ〜１１０ｈにより光電変換された電流を選択する。
【００８１】
これにより、第２受光部群１０２に含まれる受光部１１０ｅ〜１１０ｈにより光電変換された電流と、第３受光部群１０３に含まれる受光部１１０ｉ〜１１０ｌにより光電変換された電流との和が、電流電圧変換回路１１１ｅ〜１１１ｈに入力される。電流電圧変換回路１１１ｅ〜１１１ｈは、入力された電流を電圧に変換することにより、受光信号Ｅ＋Ｉ、Ｆ＋Ｊ、Ｇ＋Ｋ及びＨ＋Ｌを生成し、生成した受光信号Ｅ＋Ｉ、Ｆ＋Ｊ、Ｇ＋Ｋ及びＨ＋Ｌを出力する。
【００８２】
また、第１受光部群１０１に含まれる受光部１１０ａ〜１１０ｄにより光電変換された電流信号は、それぞれ電流電圧変換回路１１１ａ〜１１１ｄに入力される。電流電圧変換回路１１１ａ〜１１１ｄは、入力された電流を電圧に変換することにより、受光信号Ａ〜Ｄを生成し、生成した受光信号Ａ〜Ｄを出力する。
【００８３】
このように、１倍モード時には、光電変換装置１００は、受光部１１０ａ〜１１０ｄに入射したメインビームの強度に対応する受光信号Ａ〜Ｄを出力する。また、光電変換装置１００は、受光部１１０ｅ〜１１０ｈに入射したサブビームの強度と、受光部１１０ｉ〜１１０ｌに入射したサブビームの強度との和に対応する受光信号Ｅ＋Ｉ、Ｆ＋Ｊ、Ｇ＋Ｋ及びＨ＋Ｌを出力する。
【００８４】
次に、ｎ倍モード時の光電変換装置１００の動作を説明する。
【００８５】
ｎ倍モード時には、スイッチ１１４は、電流増幅回路１１３によりｎ倍された電流を選択する。これにより、切り替え回路群１１２は、第２受光部群１０２に含まれる受光部１１０ｅ〜１１０ｈにより光電変換された電流をそれぞれｎ倍し、ｎ倍した電流を電流電圧変換回路１１１ｅ〜１１１ｈに出力する。
【００８６】
つまり、第２受光部群１０２に含まれる受光部１１０ｅ〜１１０ｈにより光電変換された電流がｎ倍された電流と、第３受光部群１０３に含まれる受光部１１０ｉ〜１１０ｌにより光電変換された電流とはそれぞれ加算された後、電流電圧変換回路１１１ｅ〜１１１ｈに入力される。電流電圧変換回路１１１ｅ〜１１１ｈは、入力された電流を電圧に変換することにより、受光信号ｎＥ＋Ｉ、ｎＦ＋Ｊ、ｎＧ＋Ｋ及びｎＨ＋Ｌを生成し、生成した受光信号ｎＥ＋Ｉ、ｎＦ＋Ｊ、ｎＧ＋Ｋ及びｎＨ＋Ｌを出力する。
【００８７】
また、１倍モード時と同様に、第１受光部群１０１に含まれる受光部１１０ａ〜１１０ｄにより光電変換された電流信号は、それぞれ電流電圧変換回路１１１ａ〜１１１ｄに入力される。電流電圧変換回路１１１ａ〜１１１ｄは、入力された電流を電圧に変換することにより、受光信号Ａ〜Ｄを生成し、生成した受光信号Ａ〜Ｄを出力する。
【００８８】
次に、通常動作時の光電変換装置１００の動作を説明する。
【００８９】
通常動作時には、光ディスクコントローラ２２の制御により、１倍モードが選択される。
【００９０】
これにより、光電変換装置１００は、受光部１１０ａ〜１１０ｄに入射したメインビームの強度に対応する受光信号Ａ〜Ｄを出力する。また、光電変換装置１００は、受光部１１０ｅ〜１１０ｈに入射したサブビームの強度と、受光部１１０ｉ〜１１０ｌに入射したサブビームの強度との和に対応する受光信号Ｅ＋Ｉ、Ｆ＋Ｊ、Ｇ＋Ｋ及びＨ＋Ｌを出力する。
【００９１】
ＲＦ信号処理回路２３は、例えば、差動非点収差法によりフォーカスエラー信号ＦＥを、差動プシュプル法によりトラッキングエラー信号ＴＥを算出する。具体的には、ＲＦ信号処理回路２３は、フォーカスエラー信号ＦＥ及びトラッキングエラー信号ＴＥを上記式（１）及び式（２）を用いて算出する。また、ＲＦ信号処理回路２３は、光ディスク５０に記録されるデータに対応する受光信号Ａ〜Ｄを信号処理した後、外部に出力する。
【００９２】
次に、光ディスク装置１０において、光ディスク５０で反射したメインビーム、第１サブビーム及び前記第２サブビームが光電変換装置１００に照射されるスポット位置を調整するために、光学系１５の配置及び光電変換装置１００の位置を調整する際の動作を説明する。
【００９３】
図３は、光電変換装置１００を用いた調整動作の流れを示す図である。
【００９４】
まず、光ディスクコントローラ２２の制御により、１倍モードが選択される（Ｓ１０１）。
【００９５】
次に、光電変換装置１００は、１倍モードで動作することにより、メインビームに対応する第１信号（受光信号Ａ〜Ｄ）をＲＦ信号処理回路２３に出力し（Ｓ１０２）、また、第１サブビームと第２サブビームとの和に対応する第２信号（受光信号Ｅ＋Ｉ、Ｆ＋Ｊ、Ｇ＋Ｋ及びＨ＋Ｌ）をＲＦ信号処理回路２３に出力する（Ｓ１０３）。
【００９６】
次に、光ディスクコントローラ２２の制御により、ｎ倍モードが選択される（Ｓ１０４）。
【００９７】
次に、光電変換装置１００は、ｎ倍モードで動作することにより、メインビームに対応する第１信号（受光信号Ａ〜Ｄ）をＲＦ信号処理回路２３に出力し、また、第２サブビームと、ｎ倍された第１サブビームとの和に対応する第３信号（受光信号ｎＥ＋Ｉ、ｎＦ＋Ｊ、ｎＧ＋Ｋ及びｎＨ＋Ｌ）をＲＦ信号処理回路２３に出力する（Ｓ１０５）。
【００９８】
また、ＲＦ信号処理回路２３は、第１信号（受光信号Ａ〜Ｄ）を信号処理した後、光ディスク装置１０の外部に出力する。次に、外部の装置又は人は、第１信号（受光信号Ａ〜Ｄ）を用いて、光ディスク５０で反射したメインビームが光電変換装置１００に照射されるスポット位置を、複数の受光部１１０ａ〜１１０ｄの中心に調整する（Ｓ１０６）。具体的には、外部の装置又は人は、Ａ＝Ｂ＝Ｃ＝Ｄとなるように光学系１５の配置及び光電変換装置１００の位置を調整する。
【００９９】
また、ＲＦ信号処理回路２３は、第２信号（受光信号Ｅ＋Ｉ、Ｆ＋Ｊ、Ｇ＋Ｋ及びＨ＋Ｌ）から第３信号（受光信号ｎＥ＋Ｉ、ｎＦ＋Ｊ、ｎＧ＋Ｋ及びｎＨ＋Ｌ）を減算することにより、減算信号（受光信号（１−ｎ）Ｅ、（１−ｎ）Ｆ、（１−ｎ）Ｇ、及び（１−ｎ）Ｈ）を算出する（Ｓ１０７）。また、ＲＦ信号処理回路２３は、算出した減算信号（（１−ｎ）Ｅ、（１−ｎ）Ｆ、（１−ｎ）Ｇ、及び（１−ｎ）Ｈ）を光ディスク装置１０の外部に出力する。
【０１００】
次に、外部の装置又は人は、減算信号（受光信号（１−ｎ）Ｅ、（１−ｎ）Ｆ、（１−ｎ）Ｇ、及び（１−ｎ）Ｈ）を用いて、光ディスク５０で反射した第１サブビームが光電変換装置１００に照射されるスポット位置を、複数の受光部１１０ｅ〜１１０ｈの中心に調整し、光ディスク５０で反射した第２サブビームが光電変換装置１００に照射されるスポット位置を、複数の受光部１１０ｉ〜１１０ｌの中心に調整する（Ｓ１０８）。具体的には、外部の装置又は人は、（１−ｎ）Ｅ＝（１−ｎ）Ｆ＝（１−ｎ）Ｇ＝（１−ｎ）Ｈとなるように光学系１５の配置及び光電変換装置１００の位置を調整する。
【０１０１】
以上の処理により、メインビーム、第１サブビーム、及び第２サブビームのスポット位置の中心は、それぞれ第１受光部群１０１、第２受光部群１０２及び第３受光部群１０３の中心と一致する。
【０１０２】
ここで、従来の調整時における、電流電圧変換回路１１１ｅ〜１１１ｈ及び当該電流電圧変換回路１１１ｅ〜１１１ｈ以降で発生するオフセット電圧をそれぞれＶｏｆｆＥ、ＶｏｆｆＦ、ＶｏｆｆＧ、及びＶｏｆｆＨとし、受光信号Ｅ〜Ｈのうちオフセット電圧を含まない受光信号成分をＥ０、Ｆ０、Ｇ０、Ｈ０としたとき、受光信号Ｅ〜Ｈは下記式（３）〜式（６）で表すことができる。
【０１０３】
Ｅ＝Ｅ０＋ＶｏｆｆＥ  ・・・  式（３）
Ｆ＝Ｆ０＋ＶｏｆｆＦ  ・・・  式（４）
Ｇ＝Ｇ０＋Ｖｏｆｆ１Ｇ  ・・・  式（５）
Ｈ＝Ｈ０＋Ｖｏｆｆ１Ｈ  ・・・  式（６）
【０１０４】
ここで、オフセット電圧ＶｏｆｆＥ〜Ｖｏｆｆ１Ｈは、電流電圧変換回路１１１ｅ〜１１１ｈ内のトランジスタ及び抵抗のばらつきに応じて、ばらつきを有する。よって、Ｅ＝Ｆ＝Ｇ＝Ｈとなるように光学系１５の配置及び光電変換装置１００の位置を調整したとしても、ＶｏｆｆＥ≠ＶｏｆｆＦの場合には、下記式（７）及び式（８）の関係からＥ０≠Ｆ０となる。
【０１０５】
Ｅ＝Ｆ  ・・・  式（７）
Ｅ０＋ＶｏｆｆＥ＝Ｆ０＋ＶｏｆｆＦ  ・・・  式（８）
【０１０６】
同様に、ＶｏｆｆＥ〜ＶｏｆｆＨが全て等しい場合以外は、Ｅ＝Ｆ＝Ｇ＝Ｈとなるように光学系１５の配置及び光電変換装置１００の位置を調整したとしても、Ｅ０＝Ｆ０＝Ｇ０＝Ｈ０とはならない。つまり、オフセット電圧ＶｏｆｆＥ〜ＶｏｆｆＨにばらつきがあると第１サブビーム及び第２サブビームのスポット位置の中心は、それぞれ第２受光部群１０２及び第３受光部群１０３の中心と一致しない。
【０１０７】
一方、本発明に係る光電変換装置１００を用いた場合、オフセット電圧を相殺できる。
【０１０８】
具体的には、電流電圧変換回路１１１ｅ〜１１１ｈ及び電流電圧変換回路１１１ｅ〜１１１ｈ以降で発生するオフセット電圧をそれぞれＶｏｆｆＥ〜Ｖｏｆｆ１Ｈとし、１倍モード時の受光信号Ｅ＋Ｉ、Ｆ＋Ｊ、Ｇ＋Ｋ及びＨ＋Ｌのうちオフセット電圧を含まない受光信号成分をＥ０＋Ｉ０、Ｆ０＋Ｊ０、Ｇ０＋Ｋ０及びＨ０＋Ｌ０とする。この時、ｎ倍モード時の受光信号ｎＥ＋Ｉ、ｎＦ＋Ｊ、ｎＧ＋Ｋ及びｎＨ＋Ｌのうちオフセット電圧を含まない受光信号成分は、ｎＥ０＋Ｉ０、ｎＦ０＋Ｊ０、ｎＧ０＋Ｋ０、ｎＨ０＋Ｌ０となる。よって、１倍モード時の受光信号Ｅ＋Ｉ、Ｆ＋Ｊ、Ｇ＋Ｋ及びＨ＋Ｌと、ｎ倍モード時の受光信号ｎＥ＋Ｉ、ｎＦ＋Ｊ、ｎＧ＋Ｋ及びｎＨ＋Ｌは下記式（９）〜式（１６）のように表すことができる。
【０１０９】
Ｅ＋Ｉ＝Ｅ０＋Ｉ０＋ＶｏｆｆＥ  ・・・  式（９）
Ｆ＋Ｊ＝Ｆ０＋Ｊ０＋ＶｏｆｆＦ  ・・・  式（１０）
Ｇ＋Ｋ＝Ｇ０＋Ｋ０＋ＶｏｆｆＧ  ・・・  式（１１）
Ｈ＋Ｌ＝Ｈ０＋Ｌ０＋ＶｏｆｆＨ  ・・・  式（１２）
ｎＥ＋Ｉ＝ｎＥ０＋Ｉ０＋ＶｏｆｆＥ  ・・・  式（１３）
ｎＦ＋Ｊ＝ｎＦ０＋Ｊ０＋ＶｏｆｆＦ  ・・・  式（１４）
ｎＧ＋Ｋ＝ｎＧ０＋Ｋ０＋ＶｏｆｆＧ  ・・・  式（１５）
ｎＨ＋Ｌ＝ｎＨ０＋Ｌ０＋ＶｏｆｆＨ  ・・・  式（１６）
【０１１０】
よって、１倍モード時の受光信号Ｅ＋Ｉ、Ｆ＋Ｊ、Ｇ＋Ｋ及びＨ＋Ｌから、ｎ倍モード時の受光信号ｎＥ＋Ｉ、ｎＦ＋Ｊ、ｎＧ＋Ｋ及びｎＨ＋Ｌを減算した受信信号（１−ｎ）Ｅ、（１−ｎ）Ｆ、（１−ｎ）Ｇ、及び（１−ｎ）Ｈは、下記式（１７）〜式（２０）で表すことができる。
【０１１１】
（１−ｎ）Ｅ
＝（Ｅ０＋Ｉ０＋ＶｏｆｆＥ）−（ｎＥ０＋Ｉ０＋ＶｏｆｆＥ）
＝（１−ｎ）Ｅ０  ・・・  式（１７）
（１−ｎ）Ｆ
＝（Ｆ０＋Ｊ０＋ＶｏｆｆＦ）−（ｎＦ１０＋Ｊ０＋ＶｏｆｆＦ）
＝（１−ｎ）Ｆ０  ・・・  式（１８）
（１−ｎ）Ｇ
＝（Ｇ０＋Ｋ０＋ＶｏｆｆＧ）−（ｎＧ０＋Ｋ０＋ＶｏｆｆＧ）
＝（１−ｎ）Ｇ０  ・・・  式（１９）
（１−ｎ）Ｈ
＝（Ｈ０＋Ｌ０＋ＶｏｆｆＨ）−（ｎＨ０＋Ｌ０＋ＶｏｆｆＨ）
＝（１−ｎ）Ｈ０  ・・・  式（２０）
【０１１２】
上記式（１７）〜式（２０）のようにオフセット電圧ＶｏｆｆＥ〜ＶｏｆｆＨが相殺される。
【０１１３】
このように、本発明に係る光電変換装置１００を用いて、（１−ｎ）Ｅ＝（１−ｎ）Ｆ＝（１−ｎ）Ｇ＝（１−ｎ）Ｈとなるように、光学系１５の配置及び光電変換装置１００の位置を調整することにより、第１サブビーム及び第２サブビームのスポット位置の中心を、それぞれ第２受光部群１０２、及び第３受光部群１０３の中心に精度良く一致させることができる。これにより、光ディスク装置１０は、精度の高いフォーカスエラー信号ＦＥ、及びトラッキングエラー信号ＴＥを生成できる。また、光ディスク装置１０の組み立て歩留まりを向上できる。
【０１１４】
なお、上記説明では、光電変換装置１００を１倍モードで動作させた後に、ｎ倍モードで動作させているが、ｎ倍モードで動作させた後に１倍モードで動作させてもよい。
【０１１５】
また、上記説明では、メインビームを調整した後に、サブビームを調整しているが、サブビームを調整した後に、メインビームを調整してもよい。
【０１１６】
また、メインビームの調整に用いられる受光信号Ａ〜Ｄは、１倍モード時に出力されたものでも、ｎ倍モード時に出力されたものでもよい。
【０１１７】
また、上記説明では、ＲＦ信号処理回路２３が、ステップＳ１０７の処理（減算処理）を行うとしたが、外部の装置又は人が、当該ステップＳ１０７の処理を行ってもよい。つまり、ＲＦ信号処理回路２３は、第２信号及び第３信号を外部に出力してもよい。
【０１１８】
また、光電変換装置１００は、調整に用いられる第１〜第３信号をＲＦ信号処理回路２３を経由せずに、直接、光ディスク装置１０の外部に出力してもよい。
【０１１９】
また、上記説明では、メインビームの調整（Ｓ１０６）及びサブビームの調整（Ｓ１０８）は、外部の装置又は人が行うとしたが、光ディスク装置１０が備える処理部が自動的に当該調整を行ってもよい。
【０１２０】
また、光ディスク装置１０が外部に出力する信号は、減算信号（受光信号（１−ｎ）Ｅ、（１−ｎ）Ｆ、（１−ｎ）Ｇ、及び（１−ｎ）Ｈ）に限らず、当該減算信号に対して所定の処理を行った後の信号であってもよい。つまり、光ディスク装置１０が外部に出力する信号は、第１サブビームのスポット及び第２サブビームのスポットの中心と、それぞれ第２受光部群１０２及び第３受光部群１０３の中心との一致度合いを示す信号であればよい。
【０１２１】
以下、電流増幅回路１１３の具体的な回路例を説明する。
【０１２２】
図４は、切り替え回路１１２ｇ及び電流電圧変換回路１１１ｇの構成を示す回路図である。なお、切り替え回路１１２ｅ、１１２ｆ及び１１２ｈの構成は、切り替え回路１１２ｇと同様であり、電流電圧変換回路１１１ｅ、１１１ｆ及び１１１ｈの構成は、電流電圧変換回路１１１ｇの構成と同様なので、説明は省略する。
【０１２３】
図４に示す電流増幅回路１１３は、トランジスタＱ６〜Ｑ８で構成されるカレントミラー回路１２５と、トランジスタＱ９及びＱ１０で構成されるカレントミラー回路１２６とを含む。
【０１２４】
カレントミラー回路１２５は、受光部１１０ｇで発生した光電流をｎ倍するとともに、当該光電流の位相を１８０°ずらした（位相を反転させた）うえで、出力する。
【０１２５】
カレントミラー回路１２６は、カレントミラー回路１２５により出力される電流の位相を反転させたうえで出力する。つまり、カレントミラー回路１２６は、カレントミラー回路１２５でずらした位相を基に戻すことにより、電流増幅回路１１３が出力する電流と、受光部１１０ｋで発生した光電流との位相を揃える。
【０１２６】
なお、Ｖｃｃは電流電圧変換回路１１１ｇ及び電流増幅回路１１３に印加される電源電圧である。
【０１２７】
図４に示す例では、カレントミラー回路１２５のミラー比は１／２であるので、電流電圧変換回路１１１ｇには受光部１１０ｇで発生した光電流の１／２の電流が入力される。つまり、電流電圧変換回路１１１ｇは、ｎ倍モードでは、受光信号Ｇ／２＋Ｋを出力する。
【０１２８】
また、図４に示すように、電流電圧変換回路１１１ｇは、差動増幅器１２０と、ゲイン抵抗１２１と、抵抗１２２とを備える。
【０１２９】
差動増幅器１２０は、反転入力端子と非反転入力端子と出力端子とを有するオペアンプである。
【０１３０】
ゲイン抵抗１２１は、差動増幅器１２０の反転入力端子と出力端子との間に接続される帰還抵抗である。
【０１３１】
抵抗１２２は、差動増幅器１２０の非反転入力端子と基準電圧Ｖｒｅｆとの間に接続される。この抵抗１２２は、電流電圧変換回路１１１ｇから見た入力インピーダンスを揃ることにより、オフセット電圧の発生を抑えるための抵抗である。
【０１３２】
ここで、電流増幅回路１１３の増幅率ｎは、光ピックアップの設計に応じて、任意に選択されるべき値であるので、当該設計に合わせてカレントミラー回路１２５のカレントミラー比を決定すればよい。
【０１３３】
以下、電流増幅回路１１３の変形例を説明する。
【０１３４】
図５は、電流増幅回路１１３の変形例である電流増幅回路１１３ａの構成を示す回路図である。
【０１３５】
図５に示す電流増幅回路１１３ａは、図４に示すカレントミラー回路１２６を備えず、カレントミラー回路１２５のみを備える。これにより、電流増幅回路１１３ａは、受光部１１０ｋで発生された光電流に対して位相が１８０°ずれた電流を出力する。つまり、電流電圧変換回路１１１ｇには、受光部１１０ｋで発生された光電流から、受光部１１０ｇで発生された光電流をｎ倍した電流を減算した電流が入力される。これにより、電流電圧変換回路１１１ｇは、ｎ倍モード時には、受光信号Ｋ−ｎＧを出力する。この場合であっても、上述した処理と同様に、１倍モード時の受光信号Ｇ＋Ｋから、ｎ倍モード時の受光信号Ｋ−ｎＧを減算することにより、オフセット電圧を相殺した信号を出力できる。
【０１３６】
このように、電流電圧変換回路１１１ｇにより出力される受光信号を処理する回路（この例ではＲＦ信号処理回路２３）の仕様にあわせて電流増幅回路１１３の構成を容易に変更できるので、光電変換装置１００の設計自由度を向上できる。
【０１３７】
図６は、電流増幅回路１１３の別の変形例である電流増幅回路１１３ｂの構成を示す回路図である。
【０１３８】
図６に示す電流増幅回路１１３ｂは、アイドリング電流をカレントミラー回路１２５に流すことにより、図５に示す電流増幅回路１１３ａと比べて、応答速度を高速化できる。
【０１３９】
図６に示す電流増幅回路１１３ｂは、図５に示す電流増幅回路１１３ａの構成に加えて、さらに、電流源１２７及び１２８を備える。
【０１４０】
電流源１２７は、カレントミラー回路１２５の入力側に接続され、カレントミラー回路１２５にアイドリング電流を供給する。このアイドリング電流は、受光部１１０ｇにより変換された光電流と同じ方向の電流である。
【０１４１】
電流源１２８は、カレントミラー回路１２５の出力側に接続される。また、電流源１２８は、カレントミラー回路１２５により出力される電流と逆方向であり、かつ、電流源１２７により供給されるアイドリング電流のｎ倍の電流を供給する。つまり、電流源１２８は、電流源１２７により供給されるアイドリング電流をキャンセルするための回路である。
【０１４２】
電流源１２７のみを備える場合には、カレントミラー回路１２５に供給されたアイドリング電流が電流電圧変換回路１１１ｇに入力されることにより、オフセット電圧が発生してしまう。これに対して、電流増幅回路１１３ｂでは、電流源１２８を設けることにより、このオフセット電圧の発生を防止できる。
【０１４３】
図７は、図６に示す電流源１２７及び１２８の具体的な回路例を示す図である。
【０１４４】
図７に示すように電流源１２７及び１２８は、トランジスタＱ１１〜Ｑ１３と、電流源１２９とを含む。具体的には、トランジスタＱ１１とトランジスタＱ１３と電流源１２９とが電流源１２７に相当し、トランジスタＱ１２とトランジスタＱ１３と電流源１２９とが電流源１２８に相当する。つまり、トランジスタＱ１３及び電流源１２９は、電流源１２７及び１２８で共通に用いられる。
【０１４５】
電流源１２９は、アイドリング電流に相当する電流を供給する。
【０１４６】
トランジスタＱ１１及びトランジスタＱ１３は、カレントミラー回路を構成する。当該カレントミラー回路は、電流源１２９により供給された電流をミラーすることにより、カレントミラー回路１２５の入力側にアイドリング電流を供給する。
【０１４７】
トランジスタＱ１２及びトランジスタＱ１３は、カレントミラー回路を構成する。当該カレントミラー回路は、電流源１２９により供給された電流をミラーすることにより、カレントミラー回路１２５の出力側からアイドリング電流に相当する電流を引き抜く。
【０１４８】
以上の構成により、アイドリング電流をキャンセルできる。
【０１４９】
また、カレントミラー回路１２５のカレントミラー比が２倍なので、トランジスタＱ１１のエミッタ面積をトランジスタＱ１２のエミッタ面積の２倍とすることでアイドリング電流をキャンセルできる。
【０１５０】
（実施の形態２）
本発明の実施の形態２では、上述した実施の形態１に係る光電変換装置１００の応用例であり、ＤＶＤ用のレーザ及びＣＤ用のレーザに対応した光電変換装置２００について説明する。
【０１５１】
また、光電変換装置２００を備える光ディスク装置１０の構成は、図１と同様であり、説明は省略する。なお、図１に示すレーザ１１は、ＤＶＤ用のレーザ（赤色レーザ）と、ＣＤ用のレーザ（赤外レーザ）とを選択的に発生する。また、当該ＤＶＤ用のレーザ及びＣＤ用のレーザは、光学系１５を経由して、光ディスク５０（ＤＶＤ又はＣＤ）に照射され、光ディスク５０で反射された後、光学系１５を経由して、光電変換装置２００に照射される。
【０１５２】
図８は、本発明の実施の形態２に係る光電変換装置２００の構成を示す図である。なお、図２と同様の要素には同一の符号を付している。また、図８において、説明の簡略化のため、各受光部群１０１〜１０６が備える４個の受光部のうち、１つの受光部に対する回路構成のみを記載しているが、実際には、４個の受光部のそれぞれに対して同様の回路が設けられる。
【０１５３】
図８に示す光電変換装置２００は、実施の形態１に係る光電変換装置１００と同様に、１倍モードと、ｎ倍モードとを有する。また、光電変換装置２００は、ＣＤに記録されるデータの読み出し時又はＣＤへのデータの書き込み時に選択されるＣＤモードと、ＤＶＤに記録されるデータの読み出し時又はＤＶＤへのデータの書き込み時に選択されるＤＶＤモードとを有する。このＣＤモードとＤＶＤモードとの切り替えは、光ディスクコントローラ２２により行われる。
【０１５４】
また、光電変換装置２００は、ＣＤ用のレーザを受光するＣＤ用受光部群２０１と、ＤＶＤ用のレーザを受光するＤＶＤ用受光部群２０２と、電流電圧変換回路１１１ａ及び１１１ｇと、スイッチ２２１〜２２３と、切り替え回路２１２ｇとを備える。
【０１５５】
ＣＤ用受光部群２０１は、第１受光部群１０１と、第２受光部群１０２と、第３受光部群１０３とを含む。ＤＶＤ用受光部群２０２は、第１受光部群１０４と、第２受光部群１０５と、第３受光部群１０６とを含む。
【０１５６】
また、ＣＤ用受光部群２０１と、ＤＶＤ用受光部群２０２とは、レーザの発光点距離に概ね相当する距離だけ離れた場所に配置される。
【０１５７】
第１受光部群１０１は、４個の受光部１１０ａ〜１１０ｄを備え、光ディスク５０で反射されたＣＤ用のメインビームを受光する。第２受光部群１０２は、４個の受光部１１０ｅ〜１１０ｈを備え、光ディスク５０で反射されたＣＤ用の第１サブビームを受光する。第３受光部群１０３、４個の受光部１１０ｉ〜１１０ｌを備え、光ディスク５０で反射されたＣＤ用の第２サブビームを受光する。
【０１５８】
第１受光部群１０４は、４個の受光部２１０ａ〜２１０ｄを備え、光ディスク５０で反射されたＤＶＤ用のメインビームを受光する。第２受光部群１０５、４個の受光部２１０ｅ〜２１０ｈを備え、光ディスク５０で反射されたＤＶＤ用の第１サブビームを受光する。第３受光部群１０６、４個の受光部２１０ｉ〜２１０ｌを備え、光ディスク５０で反射されたＤＶＤ用の第２サブビームを受光する。
【０１５９】
また、受光部１１０ａ〜１１０ｌは、ＣＤ用のレーザの波長に対応したレーザを受光し、それぞれ、受光したビームを電流に光電変換する。受光部２１０ａ〜２１０ｌは、ＤＶＤ用のレーザの波長に対応したレーザを受光し、それぞれ、受光したビームを電流に光電変換する。
【０１６０】
スイッチ２２１は、受光部１１０ａと受光部２１０ａとのうち一方で生成された電流を選択し、選択した電流を電流電圧変換回路１１１ａに出力する。
【０１６１】
スイッチ２２２は、受光部１１０ｇと受光部２１０ｇとのうち一方で生成された電流を選択し、選択した電流を切り替え回路２１２ｇに出力する。
【０１６２】
スイッチ２２３は、受光部１１０ｋと受光部２１０ｋとのうち一方で生成された電流を選択し、選択した電流を電流電圧変換回路１１１ｇに出力する。
【０１６３】
具体的には、ＣＤモード時には、スイッチ２２１、２２２及び２２３は、それぞれ、受光部１１０ａ、１１０ｇ及び１１０ｋで生成された電流を選択し、ＤＶＤモード時には、スイッチ２２１、２２２及び２２３は、それぞれ、受光部２１０ａ、２１０ｇ及び２１０ｋで生成された電流を選択する。また、スイッチ２２１、２２２及び２２３は、光ディスクコントローラ２２により出力されるモード選択信号２３０で制御される。
【０１６４】
電流電圧変換回路１１１ａは、入力された電流を電圧に変換することにより、受光信号Ａ１又はＡ２を生成し、生成した受光信号Ａ１又はＡ２を出力する。ここで、受光信号Ａ１は、受光部１１０ａに入射したＣＤ用のメインビームの強度に対応する信号であり、受光信号Ａ２は、受光部２１０ａに入射したＤＶＤ用のメインビームの強度に対応する信号である。
【０１６５】
切り替え回路２１２ｇは、電流増幅回路２１３と、スイッチ１１４とを備える。
【０１６６】
電流増幅回路２１３は、スイッチ２２２により出力された電流（受光部１１０ｇ又は受光部２１０ｇにより光電変換された電流）をｎ倍する。なお、ｎは、典型的には、０より大きい１未満の数字である。つまり、電流増幅回路２１３は、スイッチ２２２により出力された電流を減衰する。
【０１６７】
スイッチ１１４は、電流増幅回路２１３によりｎ倍された電流と、スイッチ２２２により出力された電流そのままとのうちいずれか一方を選択し、選択した電流を電流電圧変換回路１１１ｇに出力する。具体的には、スイッチ１１４は、１倍モード（第１モード）時には、スイッチ２２２により出力された電流そのままを選択し、ｎ倍モード（第２モード）時には、電流増幅回路２１３によりｎ倍された電流を選択する。
【０１６８】
電流電圧変換回路１１１ｇは、スイッチ２２３及び切り替え回路２１２ｇにより出力された電流の和を、電圧に変換することにより、受光信号Ｇ１＋Ｋ１、ｎＧ１＋Ｋ１、Ｇ２＋Ｋ２、又は、ｎＧ２＋Ｋ２を生成する。ここで、受光信号Ｇ１＋Ｋ１は、受光部１１０ｇに入射したビームの強度と、受光部１１０ｋに入射したビームの強度との和に対応する信号であり、受光信号ｎＧ１＋Ｋ１は、受光部１１０ｇに入射したビームの強度のｎ倍と、受光部１１０ｋに入射したビームの強度との和に対応する信号である。また、受光信号Ｇ２＋Ｋ２は、受光部２１０ｇに入射したビームの強度と、受光部２１０ｋに入射したビームの強度との和に対応する信号であり、受光信号ｎＧ２＋Ｋ２は、受光部２１０ｇに入射したビームの強度のｎ倍と、受光部２１０ｋに入射したビームの強度との和に対応する信号である。
【０１６９】
以上の構成により、光電変換装置２００は、ＣＤモード時かつ１倍モード時には、受光部１１０ａに入射したメインビームに対応する受光信号Ａ１と、受光部１１０ｇと受光部１１０ｋとに入射したサブビームの強度の和に対応する受光信号Ｇ１＋Ｋ１とを出力する。また、光電変換装置２００は、ＣＤモード時かつｎ倍モード時には、受光部１１０ｇに入射した第１サブビームの強度のｎ倍と、受光部１１０ｋとに入射した第２サブビームの強度との和に対応する受光信号ｎＧ１＋Ｋ１を出力する。
【０１７０】
これにより、上述した実施の形態１に係る光電変換装置１００と同様に、受光信号Ｇ１＋Ｋ１から、受光信号ｎＧ１＋Ｋ１を減算した信号を用いることで、ＣＤモード時の光学系１５の配置及び光電変換装置２００の位置を、高精度で調整できる。
【０１７１】
また、ＤＶＤモード時かつ１倍モード時には、受光部２１０ａに入射したメインビームに対応する受光信号Ａ２と、受光部２１０ｇと受光部２１０ｋとに入射したサブビームの強度の和に対応する受光信号Ｇ２＋Ｋ２とを出力する。また、光電変換装置２００は、ＤＶＤモード時かつｎ倍モード時には、受光部２１０ｇに入射した第１サブビームの強度のｎ倍と、受光部２１０ｋとに入射した第２サブビームの強度との和に対応する受光信号ｎＧ２＋Ｋ２を出力する。
【０１７２】
これにより、上述した実施の形態１に係る光電変換装置１００と同様に、受光信号Ｇ２＋Ｋ２から、受光信号ｎＧ２＋Ｋ２を減算した信号を用いることで、ＤＶＤモード時の光学系１５の配置及び光電変換装置２００の位置を、高精度で調整できる。
【０１７３】
このように、本発明の実施の形態２に係る光電変換装置２００を用いることにより、ＣＤモード及びＤＶＤモードの調整を、高精度で行うことができる。
【０１７４】
以下、電流増幅回路２１３の具体的な回路例を説明する。
【０１７５】
図９は、電流増幅回路２１３の構成を示す図である。図９に示す電流増幅回路２１３は、図７に示す電流増幅回路１１３ｂと同様に、アイドリング電流を供給することにより、オフセット電圧を削減する効果を有する。さらに、電流増幅回路２１３は、ＣＤモード時とＤＶＤモード時とで異なるアイドリング電流をカレントミラー回路１２５に供給する。
【０１７６】
これは、ＤＶＤモードに対してＣＤモードでは、再生速度が遅いため周波数特性が低くてよく、アイドリング電流を比較的小さくしてもよいためである。
【０１７７】
電流増幅回路２１３は、電流増幅回路１１３ｂの構成に加えて、さらに、スイッチ２２４と、トランジスタＱ１４とを備える。
【０１７８】
スイッチ２２４は、モード選択信号２３０によりオン／オフが制御され、ＣＤモード時にはオンし、ＤＶＤモード時にはオフする。
【０１７９】
トランジスタＱ１４は、スイッチ２２４を介して、電流源１２９に接続される。
【０１８０】
以上の構成により、ＤＶＤモード時には、電流源１２９により供給された電流に対応するアイドリング電流が、カレントミラー回路１２５に供給される。また、ＣＤモード時は、電流源１２９により供給された電流の一部は、トランジスタＱ１４を経由してＧＮＤに流れるので、ＤＶＤモード時に比べて小さいアイドリング電流が、カレントミラー回路１２５に供給される。
【０１８１】
このように、ＤＶＤモードに対してＣＤモード時にアイドリング電流を小さくすることにより、ＣＤモード時において、カレントミラー回路１２５、及びトランジスタＱ１１〜１３のばらつきにより発生するオフセット電圧、及びノイズを小さくできる。これにより、ＣＤモード時の位置決め精度をより高くすることができる。
【０１８２】
次に、電流電圧変換回路１１１ｇの変形例を説明する。
【０１８３】
図１０は、電流電圧変換回路１１１ｇの変形例である電流電圧変換回路２１１ｇの構成を示す図である。
【０１８４】
図１０に示す電流電圧変換回路２１１ｇは、ＣＤモードとＤＶＤモードとで異なる電流電圧変換率を用いる。この電流電圧変換回路２１１ｇは、電流電圧変換回路１１１ｇの構成に加えて、さらに、ゲイン抵抗２３２と、スイッチ２３１とを備える。
【０１８５】
ゲイン抵抗２３２とスイッチ２３１とは、直列に接続される。また、直列に接続されたゲイン抵抗２３２とスイッチ２３１とは、差動増幅器１２０の反転入力端子と出力端子との間に、ゲイン抵抗１２１と並列に接続される。
【０１８６】
また、スイッチ２３１は、モード選択信号２３０によりオン／オフが制御される。具体的には、ＣＤモード時にはスイッチ２３１はオフされ、ＤＶＤモード時にはスイッチ２３１はオンされる。
【０１８７】
以上の構成により、スイッチ２３１がオフの場合には、電流電圧変換回路２１１ｇの電流電圧変換率は、ゲイン抵抗１２１の抵抗値により決定される。また、スイッチ２３１がオンの場合には、電流電圧変換回路２１１ｇの電流電圧変換率は、ゲイン抵抗１２１の抵抗値と、ゲイン抵抗２３２の抵抗値との並列和により決定される。つまり、ＣＤモード時には、ＤＶＤモード時に比べ高い電流電圧変換率が用いられる。
【０１８８】
ここで、一般的に多種の光ディスクメディアに対応する場合、光ディスクメディアのそれぞれで反射率が異なるため、光ディスクメディアのそれぞれで光電変換装置２００に入力されるビームの強度が変動する。これに対して、電流電圧変換回路２１１ｇは、ゲイン抵抗の値をコントロールすることにより、電流電圧変換率を調整できる。
【０１８９】
ただし、少なからず存在するトランジスタＱ１１とトランジスタＱ１３とのばらつきによりアイドリング電流の一部が電流電圧変換回路２１１ｇに入力される。これにより、当該アイドリング電流の一部とゲイン抵抗との積によって決まるオフセット電圧が、ゲイン抵抗を切り替えることによって変動してしまう課題が発生する。これに対して、本発明では、上述したように、ＣＤモード時にはスイッチ２２４をオンさせることにより、アイドリング電流を減少させている。これにより、ゲイン抵抗を切り替えた際の電流電圧変換回路２１１ｇのオフセット電圧の変動を抑えることができる。つまり、本発明に係る光電変換装置２００は、電流電圧変換回路２１１ｇの電流電圧変換率を大きくした場合には、電流増幅回路２１３に供給されるアイドリング電流を減少させることで、オフセット電圧の変動を相殺できる。
【０１９０】
（実施の形態３）
本発明の実施の形態３では、上述した実施の形態１に係る光電変換装置１００が備える電流増幅回路１１３の変形例について説明する。
【０１９１】
図１１は、本発明の実施の形態３に係る電流増幅回路３１３の構成を示す図である。
【０１９２】
なお、図１１に示す電流増幅回路３１３は、図２に示す電流増幅回路１１３に相当する回路である。
【０１９３】
図１１に示す電流増幅回路３１３は、差動増幅器３２０と、抵抗３２１及び３２２とを備える。
【０１９４】
差動増幅器３２０は、反転入力端子と非反転入力端子と出力端子とを有するオペアンプである。また、差動増幅器３２０の反転入力端子には、スイッチ１１４を介して、受光部１１０ｇにより生成された光電流が入力される。
【０１９５】
抵抗３２１は、差動増幅器３２０の反転入力端子と出力端子との間に接続される。抵抗３２２は、差動増幅器３２０の非反転入力端子と出力端子との間に接続される。
【０１９６】
以上の構成により、受光部１１０ｇにより生成された光電流は、ｎ倍されたのち、差動増幅器３２０の非反転入力端子に出力される。
【０１９７】
ここで電流増幅回路３１３の電流増幅率ｎは（抵抗３２１の抵抗値）／（抵抗３２２の抵抗値）によって決定される。よって、電流増幅回路３１３の増幅率ｎを、容易に１以上にすることが可能となる。これにより、光ピックアップの設計自由度を向上できる。
【０１９８】
図１２は図１１に示す電流増幅回路３１３の具体的な回路例を示す図である。
【０１９９】
図１２に示すように差動増幅器３２０は、トランジスタＱ１〜Ｑ５と、電流源３２３及び３２４とを備える。
【０２００】
この差動増幅器３２０において、トランジスタＱ１のゲートは、反転入力端子に接続され、トランジスタＱ２のゲートが非反転入力端子に接続され、トランジスタＱ５のエミッタが出力端子に接続される。また、差動増幅器３２０は、トランジスタＱ１とトランジスタＱ２とで構成される差動増幅部と、当該差動増幅部の負荷となる、トランジスタＱ３及びＱ４により構成される能動負荷と、当該差動増幅部の出力をバッファするエミッタフォロアとして動作するトランジスタＱ５とを含む。
【０２０１】
また、トランジスタＱ１及びＱ２はＭＯＳトランジスタである。
【０２０２】
ここで、トランジスタＱ１及びＱ２をバイポーラトランジスタとした場合、そのベース電流（図１２に示すＩｉｎ１及びＩｉｎ２）が電流電圧変換回路１１１ｇに入力されてしまう。これにより、電流電圧変換回路１１１ｇにオフセット電圧が発生してしまう。よって、トランジスタＱ１及びＱ２に、ゲート電流が流れないＭＯＳトランジスタを用いることにより、光ピックアップの位置決め精度をより高くすることができる。
【０２０３】
以上、本発明の実施の形態１〜３に係る及び光ディスク装置１０、光電変換装置１００及び２００について説明したが、本発明は、この実施の形態に限定されるものではない。
【０２０４】
例えば、上記実施の形態１〜３の説明では、光ディスク装置１０は、光ディスク５０に記録されたデータの読み出し、及び、光ディスク５０へのデータの書き込みを行うとしたが、光ディスク５０に記録されたデータの読み出し、及び、光ディスク５０へのデータの書き込みのうち少なくとも一方を行ってもよい。
【０２０５】
また、上記実施の形態１〜３の説明では、トランジスタとして主にバイポーラトランジスタを用いる例を示したが、トランジスタの一部又は全てにＭＯＳトランジスタを用いてもよい。
【０２０６】
また、上記実施の形態１〜３に係る光ディスク装置１０、光電変換装置１００、２００、及び図３に示す処理の一部を行う外部の装置に含まれる各処理部は典型的には集積回路であるＬＳＩとして実現される。これらは個別に１チップ化されてもよいし、一部又はすべてを含むように１チップ化されてもよい。
【０２０７】
また、集積回路化はＬＳＩに限るものではなく、専用回路又は汎用プロセッサで実現してもよい。また、ＬＳＩ製造後にプログラムすることが可能なＦＰＧＡ（Ｆｉｅｌｄ  Ｐｒｏｇｒａｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０２０８】
また、本発明の実施の形態１〜３に係る、光ディスク装置１０、光電変換装置１００、２００、及び図３に示す処理の一部を行う外部の装置の機能の一部又は全てを、ＣＰＵ等のプロセッサがプログラムを実行することにより実現してもよい。
【０２０９】
さらに、本発明は上記プログラムであってもよいし、上記プログラムが記録された記録媒体であってもよい。また、上記プログラムは、インターネット等の伝送媒体を介して流通させることができるのは言うまでもない。
【０２１０】
また、上記実施の形態１〜３に係る、光ディスク装置１０、光電変換装置１００、２００、及びその変形例の構成又は機能のうち少なくとも一部を組み合わせてもよい。
【産業上の利用可能性】
【０２１１】
本発明は、光電変換装置に適用でき、特に、ＣＤ−Ｒ、ＣＤ±ＲＷ、ＤＶＤ−Ｒ、ＤＶＤ±ＲＷ、ＤＶＤ−ＲＡＭ、及びＢｌｕ−ｒａｙなどの多種にわたる記録メディアに対応する光ディスク装置に適用できる。
【図面の簡単な説明】
【０２１２】
【図１】本発明の実施の形態１に係る光ディスク装置の構成を示す図である。
【図２】本発明の実施の形態１に係る光電変換装置の構成を示す図である。
【図３】本発明の実施の形態１に係る光電変換装置を用いた調整処理の流れを示すフローチャートである。
【図４】本発明の実施の形態１に係る切り替え回路の構成を示す図である。
【図５】本発明の実施の形態１に係る切り替え回路の変形例の構成を示す図である。
【図６】本発明の実施の形態１に係る切り替え回路の変形例の構成を示す図である。
【図７】本発明の実施の形態１に係る切り替え回路の変形例の構成を示す図である。
【図８】本発明の実施の形態２に係る光電変換装置の構成を示す図である。
【図９】本発明の実施の形態２に係る切り替え回路の構成を示す図である。
【図１０】本発明の実施の形態２係る電流電圧変換回路の変形例の構成を示す図である。
【図１１】本発明の実施形態３に係る切り替え回路の構成を示す図である。
【図１２】本発明の実施形態３に係る切り替え回路の構成を示す図である。
【図１３】３ビーム法及び差動非点収差法を実現するための３個のスポットの位置関係を示す図である。
【図１４】従来の光電変換装置の構成を示す図である。
【符号の説明】
【０２１３】
１０  光ディスク装置
１１  レーザ
１２  レーザパワーコントローラ
１３  スピンドルモータ
１４  ドライバ
１５  光学系
１６  回折格子
１７  ビームスプリッタ
１８  コリメータレンズ
１９  立上げミラー
２０  対物レンズ
２１  検出レンズ
２２  光ディスクコントローラ
２３  ＲＦ信号処理回路
５０、５０１  光ディスク
１００、２００、５００  光電変換装置
１０１、１０４  第１受光部群
１０２、１０５  第２受光部群
１０３、１０６  第３受光部群
１１０ａ、１１０ｂ、１１０ｃ、１１０ｄ、１１０ｅ、１１０ｆ、１１０ｇ、１１０ｈ、１１０ｉ、１１０ｊ、１１０ｋ、１１０ｌ、２１０ａ、２１０ｂ、２１０ｃ、２１０ｄ、２１０ｅ、２１０ｆ、２１０ｇ、２１０ｈ、２１０ｉ、２１０ｊ、２１０ｋ、２１０ｌ
受光部
１１１ａ、１１１ｂ、１１１ｃ、１１１ｄ、１１１ｅ、１１１ｆ、１１１ｇ、１１１ｈ、２１１ｇ  電流電圧変換回路
１１２  切り替え回路群
１１２ｅ、１１２ｆ、１１２ｇ、１１２ｈ、２１２ｇ  切り替え回路
１１３、１１３ａ、１１３ｂ、２１３、３１３  電流増幅回路
１１４、２２１、２２２、２２３、２２４、２３１、５１２  スイッチ
１２０、３２０  差動増幅器
１２１、２３２  ゲイン抵抗
１２２、３２１、３２２  抵抗
１２５、１２６  カレントミラー回路
１２７、１２８、１２９、３２３、３２４  電流源
２０１  ＣＤ用受光部群
２０２  ＤＶＤ用受光部群
２３０  モード選択信号
５０２、５０３、５０４  スポット
【図１】
2010153011.tif 000003
【図２】
2010153011.tif 000004
【図３】
2010153011.tif 000005
【図４】
2010153011.tif 000006
【図５】
2010153011.tif 000007
【図６】
2010153011.tif 000008
【図７】
2010153011.tif 000009
【図８】
2010153011.tif 000010
【図９】
2010153011.tif 000011
【図１０】
2010153011.tif 000012
【図１１】
2010153011.tif 000013
【図１２】
2010153011.tif 000014
【図１３】
2010153011.tif 000015
【図１４】
2010153011.tif 000016